Podtech/llm-jp-corpus-v4-ja_patent huggingface dataset:
(57)【要約】      （修正有）【課題】肩部または背中部のリハビリテーション、または姿態を美しくする姿態リングを提供する。【解決手段】弾性バンド１０および架橋材５を備える。弾性バンド１０は、第１端部１１、第２端部１２、および中間部１３を有し、２つの第１端部１１および第２端部１２が結合することで輪状を形成し、中間部１３により２つのセクション１４、１５に仕切られる。架橋材５は、弾性バンド１０の２つのセクション１４、１５の間に設けられており、８字状を形成する。【選択図】図５
0003189027.tif 000002
【実用新案登録請求の範囲】
【請求項１】
弾性バンド（１０）および架橋材（５）を備え、
前記弾性バンド（１０）は、第１端部（１１）、第２端部（１２）、および中間部（１３）を有し、２つの前記第１端部（１１）および前記第２端部（１２）が結合することで輪状を形成し、前記中間部（１３）により２つのセクション（１４、１５）に仕切られ、
前記架橋材（５）は、前記弾性バンド（１０）の２つの前記セクション（１４、１５）の間に設けられており、８字状を形成することを特徴とする姿態リング。
【請求項２】
前記弾性バンド（１０）は、締め具（２０）を前記第１端部（１１）に固定する連結金具（２）、および、前記第２端部（１２）に設けられており前記第１端部（１１）および前記第２端部（１２）を一体に結合する雄締め金（２５）をさらに有することを特徴とする請求項１記載の姿態リング。
【請求項３】
前記弾性バンド（１０）は、前記第２端部（１２）に穿設されている調節リング（２７）をさらに有することを特徴とする請求項１記載の姿態リング。
【考案の詳細な説明】
【技術分野】
【０００１】
本考案は、姿態リングに関する。
【背景技術】
【０００２】
従来のエクササイズ器具は、使用者の手や足等のエクササイズを行うことができる。
【考案の概要】
【考案が解決しようとする課題】
【０００３】
現在の運動器具は、使用者の肩部または背中部のリハビリテーションまたは美しくすることができないことは残念である。
本考案は、肩部または背中部のリハビリテーション、または姿態を美しくする姿態リングを提供することを目的としている。
【課題を解決するための手段】
【０００４】
本考案による姿勢リングは、弾性バンド（１０）および架橋材（５）を備える。弾性バンド（１０）は、第１端部（１１）、第２端部（１２）、および中間部（１３）を有し、２つの第１端部（１１）および第２端部（１２）が結合することで輪状を形成し、中間部（１３）により２つのセクション（１４、１５）に仕切られる。架橋材（５）は、弾性バンド（１０）の２つのセクション（１４、１５）の間に設けられており、８字状を形成する。
【図面の簡単な説明】
【０００５】
【図１】本考案の一実施形態による姿勢リングを示す模式図である。
【図２】本考案の一実施形態による姿勢リングを示す模式図である。
【図３】本考案の一実施形態による姿勢リングを示す模式図である。
【図４】本考案の一実施形態による姿勢リングを示す模式図である。
【図５】本考案の一実施形態による姿勢リングを示す模式図である。
【図６】本考案の一実施形態による姿勢リングを示す模式図である。
【図７】本考案の一実施形態による姿勢リングを示す模式図である。
【考案を実施するための形態】
【０００６】
（一実施形態）
図４〜７に示すように、連結金具（２）は、締め具（２０）を含み、締め具（２０）の第１端部（２１）が弾性バンド（１０）の第１端部（１１）に結合し、締め具（２０）の第二端部（２３）に雄締め金（２５）を組み付けるための開口部（２２）が形成され、弾性バンド（１０）の第２端部（１２）との結合に用いられる。締め具（２０）は、弾性のパッド体（２４）を含む。
【０００７】
雄締め金（２５）は、弾性バンド（１０）の第２端部（１２）に連結するための留め金（２６）が設けられている。もう一つの調節リング（２７）は弾性バンド（１０）の第２端部（１２）に穿設され、一つまたは複数の梁（２８）を有しており、一つまたは複数の溝部（２９、３０、３１）を形成し、弾性バンド（１０）の第２端部（１２）の穿設に用いられる。弾性バンド（１０）の第１端部（１１）を溝部（２９）（図６−７に示す）にくぐらせることで、梁（２８）と調節リング（２７）に備えるもう一つの溝部（３０）により、雄締め金（２５）の留め金（２６）を貫いた後に、調節リング（２７）のもう一つの溝部（３１）を通す。この構造によって、弾性バンド（１０）の第２端部（１２）と雄締め金（２５）との間の長さを調節することができる。
【０００８】
本実施形態の姿勢リングは、留め金（３４）によって弾性バンド（１０）の中間部（１３）を穿設するパッド３３をさらに含む。係るパッド（３３）は、軟性を有するパッド体（３５）であり、弾性バンド（１０）の中間部（１３）が連結金具（２）とパッド（３３）によって、上部セクション（１４）と下部セクション（１５）と２つのセクション（１４、１５）に分けられる。架橋材（５）は、柱体（５０）を含み、弾性バンド（１０）の中間部（１３）に備える２つのセクション（１４、１５）をくぐらせる上下２つの経路（５１、５２）を有し、弾性バンド（１０）の２つのセクション（１４、１５）を仕切ることによって、８字状を形成する。よって、使用者（８）の背中部（８１）または肩部（８０）への装着に用いられる。架橋材（５）は、調節自在の構造で仕上げられている。
【０００９】
操作するときは、本実施形態の姿勢リングを使用者（８）の体に装着することによって、使用者（８）の肩部（８０）または背中部（８１）に対するリハビリテーションまたは矯正を行うことができる。図２および図６に示すように、連結金具（２）の調節リング（２７）と雄締め金（２５）によって、弾性バンド（１０）の２つの端部（１１、１２）の距離を調節することができる。
【符号の説明】
【００１０】
１０・・・弾性バンド、
５・・・架橋材、
１１・・・第１端部、
１２・・・第２端部、
１３・・・中間部、
１４、１５・・・セクション。
【図１】
0003189027.tif 000003
【図２】
0003189027.tif 000004
【図３】
0003189027.tif 000005
【図４】
0003189027.tif 000006
【図５】
0003189027.tif 000007
【図６】
0003189027.tif 000008
【図７】
0003189027.tif 000009
(57)【要約】      （修正有）【課題】装飾品としての価値を有する、高級感溢れる時計で、より詳しくは、伝統工芸である象嵌を、ほとんど利用分野として考慮されていなかった時計の文字盤にその応用の道を開くべく、新規な時計を提供する。【解決手段】文字盤に金属象嵌を施して文字盤の厚みを０．６〜０．８ミリメートルに構成し、側、針及び金属象嵌を施した文字盤を任意に組み合わせて構成した。【選択図】図１
0003189663.tif 000002
【実用新案登録請求の範囲】
【請求項１】
文字盤（５）に金属象嵌（２）を施した時計。
【請求項２】
文字盤（５）の厚みが０．６〜０．８ミリメートルである請求項１に記載の時計。
【請求項３】
側（３）、針（４）及び金属象嵌（２）を施した文字盤（５）を任意に組み合わせた時計。
【考案の詳細な説明】
【技術分野】
【０００１】
本考案は時計に関し、より詳しくは文字盤に象嵌を施した時計に関する。
【背景技術】
【０００２】
象嵌とは、金属、陶磁、木材などの材料の表面に，他の材料を嵌め込む技術をいう。金属象嵌の場合，素地となる銅，鉄などの金属面を彫って金，銀，赤銅などを嵌め込むことが多く、糸象嵌、平象嵌、布目象嵌、高肉象嵌、切嵌象嵌などがある。金属表面に鏨で文様や文字の形を彫り、そのあとに細い金属を嵌め込み表面を平らにする技法である。 
【０００３】
かかる技法を用いた時計として、特許文献１にはベゼルに象嵌を施した腕時計が開示されている。
【先行技術文献】
【特許文献】
【０００４】
【特許文献１】特開２０１１−２３０５０６号公報
【考案の概要】
【考案が解決しようとする課題】
【０００５】
本考案は、装飾品としての価値を有する、高級感溢れる時計を提供することを課題とする。より詳しくは、伝統工芸である象嵌を、ほとんど利用分野として考慮されていなかった時計の文字盤にその応用の道を開くべく、新規な案出を行ったものである。
【課題を解決するための手段】
【０００６】
上記の目的を達成する本考案の構成は次の通りである。
【０００７】
（１）  請求項１に記載の考案は、文字盤に金属象嵌を施して構成した。
【０００８】
（２）  請求項２に記載の考案は、請求項1記載の時計において、文字盤の厚みを０．６〜０．８ミリメートルに構成した。
【０００９】
（３）  請求項３に記載の時計は、側、針及び金属象嵌を施した文字盤を任意に組み合わせて構成した。
【考案の効果】
【００１０】
上記のように構成される本考案が、如何に作用して課題を解決するかを図面を参照しながら概説する。
【００１１】
人類が古くから、装飾品に関心を抱いていたことが遺跡の発掘によって裏付けられている。装飾品の装飾性は、当初は、もっぱら素材のもつ美的要素に頼ってきたが、文明が進歩するに連れて、同じ素材を用いながら、加工方法を工夫して高級感や、より高い装飾性を引き出してきた。かかる加工法を極めた伝統工芸として象嵌がある。
【００１２】
図１は本考案にかかる時計を腕時計１aとして実施した場合を示すものである。文字盤２には金属象嵌３が施されている。時計にかかる装飾部材を設けることにより、時計に対して装飾部材からの装飾的効果が加わり、その装飾性が一層高められ高級感が更に向上するものである。
【００１３】
更に本考案においては側、針及び金属象嵌を施した文字盤を任意に組み合わせることが可能に構成してある。図２は選択可能な側３の例示であり、図３は選択可能な針４の例示であり、図４は選択可能な文字盤５の例示である。例えば側として３ａを、針として４ｂを、文字盤として５ａを選択して組み合わせれば、図５に示すような装飾性に富んだ時計１ｂが完成することになる。
【図面の簡単な説明】
【００１４】
【図１】本考案の一実施形態を示す説明図
【図２】側の例示を示す説明図
【図３】針の例示を示す説明図
【図４】文字盤の例示を示す説明図
【図５】本考案の一実施形態を示す説明図
【図６】時計の構成を示す断面図
【考案を実施するための形態】
【００１５】
以下、好ましい考案の実施形態につき、図面を参照しながら概説する。なお、本考案の実施の形態は、下記の実施形態に何ら限定されることはなく、本考案の技術的範囲に属する限り種々の形態を採りうる。
【００１６】
図４は本考案にかかる文字盤５を示すものである。文字盤５には金属象嵌２が施してある。
【００１７】
時計用文字盤は、通常０．３ｍｍ程度の厚みに形成されるが、かかる厚みに対して象嵌を施すことは技術的に困難であることから、本考案では象嵌を施すことが可能な最も薄い厚みである０．６〜０．８ミリメートル程度に構成するものである。
【００１８】
図２は本考案にかかる側３の一例を示すものである。側とは、懐中時計や腕時計などのダイアルやムーブメントなどを収める外装部品で、時計のベルト部分を除いた胴体部分のことである。ムーブメントなどをチリやホコリ、衝撃から守る役目を果たすものである。本考案においては側３にも装飾部３ｃが施されるものである。
【００１９】
図３は本考案にかかる針４の一例を示すものである。需要者のニーズに答えるため装飾性に富んだ針となっている。むろん一般的な針、例えばペンシル針、リーフ針、ドルフィン針、バトン針等でも構わない。
【００２０】
図６は側、針及び金属象嵌を施した文字盤を任意に組み合わせるための構成を示すものである。側３には風防６の端部を嵌め込み、固定するための凹部６ａ、文字盤５を嵌め込み、固定するための凹部５ｃ、裏蓋７を嵌め込み、固定するための凹部７ａが設けられている。また、リューズ８を緩挿するための孔部８ａが設けられている。側３内にはムーブメント９が収められている。ムーブメント９には針４が固定されるものである。
【符号の説明】
【００２１】
１a・・腕時計
２・・金属象嵌
３・・側
４・・針
５・・文字盤
【図１】
0003189663.tif 000003
【図２】
0003189663.tif 000004
【図３】
0003189663.tif 000005
【図４】
0003189663.tif 000006
【図５】
0003189663.tif 000007
【図６】
0003189663.tif 000008
【手続補正書】
【提出日】平成26年1月22日(2014.1.22)
【手続補正１】
【補正対象書類名】図面
【補正対象項目名】図２
【補正方法】変更
【補正の内容】
【図２】
0003189663.tif 000009
【手続補正書】
【提出日】平成26年1月22日(2014.1.22)
【手続補正１】
【補正対象書類名】実用新案登録請求の範囲
【補正対象項目名】全文
【補正方法】変更
【補正の内容】
【実用新案登録請求の範囲】
【請求項１】
文字盤（５）に金属象嵌（２）を施した時計。
【請求項２】
文字盤（５）の厚みが０．６〜０．８ミリメートルである請求項１に記載の時計。
【請求項３】
複数の側（３）、複数の針（４）及び複数の金属象嵌（２）を施した文字盤（５）の中から、側（３）、針（４）及び金属象嵌（２）を施した文字盤（５）をそれぞ一つずつ任意に選択し、組み合わせた時計。
(57)【要約】      （修正有）【課題】津波・竜巻、爆発による飛散物・爆風から人・物を防護する室を提供する。【解決手段】高床式構造で、側壁及び天井は機密構造で、出入り口は床面１０に複数あり、扉６，７は床面外部にスライド式及び上下開閉式の構造で、各種災害の風圧・水圧の横方向の運動エネルギーの影響を軽減し、縦方向の運動エネルギーを利用して密閉度を強固にして、室内部の人・物を防護する機能を有する。【選択図】図１
0003189665.tif 000002
【実用新案登録請求の範囲】
【請求項１】
人・物を防護する室であり、高床式構造で、出入り口の扉はスライド式・上下開閉式あるいは併用して床面外側に設置し、通路から浸入する風圧・水圧の強大な横方向の運動エネルギーの影響を軽減し、床面に作用する縦方向の運動エネルギーを利用して扉の密閉度をより強くして、内部の人・物を防護することを特徴とする室。
【考案の詳細な説明】
【技術分野】
【００１】本考案は、突発的な対応の暇のない災害、津波・竜巻等の風水害及び爆発等による飛散物・爆風等から、人・物を一時的に防護する防災施設に関するものである。
【背景技術】
【００２】災害から人・物を防護するための施設として、各種シェルターが考案されているが、いずれもそれぞれの目的に応じた構造であり、風水害及び飛散物・爆風等各種災害に対応できる多機能で、より安全・安価な防護施設が必要とされている。
【先行技術文献】
【特許文献１】特許公開２０１２−２３３３８５
【特許文献２】特許公開２００７−２９８４８８
【特許文献３】特許公開２００１−３３６３０９
【考案の概要】
【考案が解決しようとする課題】
【００３】各種災害対策として、津波には津波シェルター、爆風には爆風シェルターと単一目的で考案されており、防災対策としてそれぞれを建設するには、多くの時間・場所・経済的な負担が必要である。したがって、津波・竜巻及び飛散物・爆風等、各種災害に対応することできる多機能な防災施設により解決しようとするものである。
【課題を解決するための手段】
【００４】本考案は、自然の法則により、強大な運動エネルギーから施設内の人・物を防護することを目的とする。【００５】多機能室は高床式で、床面は地表面より高く、通路天井部にあたる床面に複数の出入り口を設け、出入りは踏み台・梯子等を利用し、老若男女の誰もが容易に出入りできる。【００６】出入り口に通じる通路は複数であり、正面あるいは横方向へ開放されて施設への出入りを容易にするとともに、浸入した横方向の運動エネルギーの逃げ口となり、施設へ与える影響を軽減する。【００７】床面外側に設置された扉は、スライド式及び上下開閉式で、通路に溢れた縦方向の運動エネルギーが扉を押し上げる力を利用して密閉を強固にする。扉を押し上げる運動エネルギーがなくなれば、扉は自重により下がり室を密閉から開放する。また、出入り口を複数にすることにより、人の出入り・物の出し入れを容易にするとともに、室内の空気の循環を良好にする。【００８】通路を除く施設全体を、土・土嚢等で覆うことにより施設の強度を向上させ運動エネルギーの衝撃を吸収・回避し、施設内部の衝撃による破砕を防ぐとともに、施設全体の直射日光の影響を減少させ、室内の室温を安定できる。
【考案の効果】
【００９】簡単な構造であり、工場での生産・運搬が容易で、設置には広い場所・多くの時間を必要としない。土・土嚢等で覆うことにより植物の植込み等活用でき、周囲の環境等との調和が図れる。また、日照の影響が少なく室温が安定しているため、物の保管等に活用でき，対応の暇がない突発的な津波・竜巻、爆発による飛散物・爆風・衝撃波から人・物を防護できる。
【図面の簡単な説明】
【０１０】
【図１】多機能室の側面の断面図である。
【図２】図１記載の平面の断面図である。
【考案を実施するための形態】
【０１１】多機能室は、基礎部分は地中に固定され、通路を除き、上部・側壁は土・土嚢等で覆い、爆風・飛散物の衝撃を緩和する。
【０１２】室自体が地表面より高い位置にあり、入り口扉を室の床面外側に設置することにより、通路から浸入する横方向の運動エネルギーが扉に与える影響を軽減し、縦方向の運動エネルギーを利用して扉の密閉を高め、室内部の人・物を防護する。
【実施例】
【０１３】以下添付図面に従って実施例を説明する。
室全体は、土・土嚢等で強大な運動エネルギーから防護される。通路４から浸入した一方向の運動エネルギーは、通路９・１２へ貫け、通路９・１２からそれぞれ浸入する一方向の運動エネルギーも同様に、正面・横方向に開放された通路から貫けて、横方向の運動エネルギーの影響を軽減する。【０１４】通路４・９・１２から同時に入った逃げ場のない運動エネルギーは、縦方向の運動エネルギー・圧力となり、スライド式扉６・上下開閉式扉７を押し上げ床面１０と扉をより強固に密着させることにより、室内部への風圧・水圧の浸入を防ぎ、室内部の人・物を防護する。運動エネルギー・圧力がなくなれば扉は自重で下がり、密閉は解除される。
【符号の説明】１  土嚢・土
２  室  上部
３  室  側壁
４  通路１
５  基礎
６  スライド式扉
７  上下開閉式扉
８  地表面
９  通路２
１０  室  床面
１１  室室内
１２  通路３
【図１】
0003189665.tif 000003
【図２】
0003189665.tif 000004
(57)【要約】      （修正有）【課題】胃を再建臓器とする胃管作成時に、確実に、生理的かつ形状のスムースな胃管を簡便に形成するための胃管作成用定規を提供する。【解決手段】半円形と長方形を組み合わせた形状の胃管作成用定規であって、長方形の一辺を頂点Ｙ、Ｚを結ぶ辺ＹＺとしたときに、半円形は辺ＹＺに隣接するＹ側の一辺を直径として長方形の外側に形成され、辺ＹＺに沿ってメジャーを有し、辺ＹＺに交わるスリットを有し、さらに、点Ｙを基準とした辺ＹＺに対する角度を測定する分度器を有する。半円形の半径が４分の１円形の自動縫合切離器の半径と同一であるか、または、半円形に様々な径の半円が印刷されているのが好ましい。【選択図】図５
0003189649.tif 000002
【実用新案登録請求の範囲】
【請求項１】
半円形と長方形を組み合わせた形状の定規であり、これにメジャー・分度器・スリットが入っている。
【請求項２】
使用する弧状の部分は、４分の１円の部分である。この半径は、手術で使用可能な４分の１円型の自動縫合切離器に合わせる。現在は１種類のみ市販されているが、今後、半径の異なる自動縫合切離器が発売されれば、この半径を変えた定規を作成する。
あるいわ、様々な径の半円を一つの定規に印刷した定規でも可能（図５）。
【考案の詳細な説明】
【技術分野】
【０００１】
本考案は食道がん手術などにおいて再建臓器として使用する胃管作成用定規に関する。
【背景技術】
【０００２】
従来、胃を再建臓器とする胃管作成時には、直線型の自動縫合切離器が使用されている。この自動縫合切離器を数回（多い場合には６−７回）使用するが、トリミングに適した定規はなかった。
【考案の概要】
【考案が解決しようとする課題】
【０００３】
直線型の縫合切離器のみではスムースな胃管作成（図2：a〜e）は困難であり、特に各縫合切離器の方向を変えると（図３：a→b→c→d→e）、その交点に変形を来す。胃管をより長く、形成するためには、第１回目の縫合切離器と第２回目の縫合切離器の方向に大きな角度が出来てしまう（図３角α）。これを解消するために、４分の１円型の自動縫合切離器を併用する方法を考案した。
【０００４】
胃の形成においては、やり直しがきかず、細心の注意を要する。よって、確実に、生理的かつ形状のスムースな胃管を簡便に形成する方法が必要である。従来の方法のように、経験にたよる職人的方法は適切ではない。
【課題を解決するための手段】
【０００５】
第１回目の縫合切離に４分の１円型の自動縫合切離器、第２回目以降の縫合切離に直線型縫合切離器を使用する。両者の角度は直線型の器械を４分の１円の接線（図４：c→d）とするのがよりスムースである。
【０００６】
基本的に、開始点aは決まっているため、この定規の弧上（XY）に点aを合わせ、直線部分（YZ）で胃管の幅を調整する。これが決まれば、c点、d点をマーキングする。次に、それぞれの点を通るように縫合切離するだけである。
【０００７】
基本形は上記の通りであるが、胃の形状は個人差があり、すべてがこの方法で形成できるわけではない。これに対応するために、２つの変法が可能である。
１．a点は４分の１円上どこでも移動可能
２．直線型の挿入方向を、胃の形状に合わせて角度をつける。（理想としては基本形の方向：YZ）
この変法の組み合わせで様々な形状に対応可能である。また、２で角度を変更した場合に、定規に入れたスリット上にd'点をマーキングすることが出来る。
【考案の効果】
【０００８】
以上の説明から明らかなように、本考案にあっては次に列挙する効果が得られる。
直線型のみで行っていた場合に比較して、交点の角度が小さくなり、スムースな形状となった。生体上で、曲線と直線を組み合わせた形状をイメージすることは困難であり、また失敗は許されない。この定規は、胃壁上の最適な部位にのせ、マーキングさえすれば容易に、かつ迅速に胃管作成が出来る。
【図面の簡単な説明】
【０００９】
【図１】考案した定規
【図２】理想的な胃管（斜線部を切除）
【図３】縫合切離器による切離線
【図４】胃に定規をのせたところ
【図５】種々のサイズの４分の１円型自動縫合器に対応した定規
【考案を実施するための形態】
【００１０】
現在医療用に使用できる縫合切離器のうち直線型は種々存在するが、４分の１円型の縫合切離器は１種類である。よって、現時点において、定規の弧状部分の形状は、この縫合切離器に合わせた直径7.6cmの半円とする。
【００１１】
直線型の縫合切離器には長さの異なるものが種々存在するため、定規の直線部分にメジャーを付ける。
【００１２】
直線型縫合切離器の挿入方向を変更する場合、この角度が３０度を超えると、この方法の利点を十分に活用できない。この角度の目安として、分度器も付ける。
【実施例】
【００１３】
開始点であるaは決まっているため、図４のように胃にこの定規を直接置き、点c点dにマーキングする。
【００１４】
点aから開始した４分の１円に続く直線型の方向を変更したい場合には、希望する角度を決め、スリット上にマーキングする（点d'）。
【産業上の利用可能性】
【００１５】
本考案は、胃管作成用定規として医療で利用される。
【符号の説明】
【００１６】
a,b,c,d,e  交点
α  角abc
【図１】
0003189649.tif 000003
【図２】
0003189649.tif 000004
【図３】
0003189649.tif 000005
【図４】
0003189649.tif 000006
【図５】
0003189649.tif 000007
【手続補正書】
【提出日】平成26年1月16日(2014.1.16)
【手続補正１】
【補正対象書類名】実用新案登録請求の範囲
【補正対象項目名】全文
【補正方法】変更
【補正の内容】
【実用新案登録請求の範囲】
【請求項１】
半円形と長方形を組み合わせた形状の胃管作成用定規であって、前記長方形の一辺を頂点Ｙ、Ｚを結ぶ辺ＹＺとしたときに、前記半円形は辺ＹＺに隣接するＹ側の一辺を直径として前記長方形の外側に形成され、辺ＹＺに沿ってメジャーを有し、辺ＹＺに交わるスリットを有し、さらに、点Ｙを基準とした辺ＹＺに対する角度を測定する分度器を有することを特徴とする胃管作成用定規。
【請求項２】
前記半円形の半径が４分の１円形の自動縫合切離器の半径と同一であるか、または、前記半円形に様々な径の半円を印刷したことを特徴とする請求項１に記載の胃管作成用定規（図５）。
(57)【要約】      （修正有）【課題】フライフィッシングにおいて、移動時の携帯性を容易にしたフライラインシューティングネットを提供する。【解決手段】格子状に作られた浮力のあるネットによって構成された略長方形の軟質系の素材からなるマットからなり、フライライン２を水面上に保持し、さらに、一辺が体のラインに沿うように内側へとカーブしていることを特徴とする。【選択図】図１
0003189641.tif 000002
【実用新案登録請求の範囲】
【請求項１】
浮力のある素材を用いてフライラインを水面上に保持することでフライキャステイングを効率よく行え、かつコンパクトに折りたたみ収納可能なことを特徴とするフライフィッシングの補助具。
【請求項２】
軟質系の素材を使用し、実際の用途に最適化された、人間工学に元ずくデザイン・形状
【考案の詳細な説明】
【技術分野】
【０００１】
本考案は、フライフィッシングのラインの処理が容易な釣りの補助具に関するものである。
【背景技術】
【０００２】
フライキャスティングの中で、ラインバスケット又はプレートは、ロングキャストをするうえで、手元のラインを容易に収納、保持できるため実用に共されている。
実用のラインバスケットは箱型、平面フォーム型など、比較的容量を持ったものである。
【０００３】
しかし、ラインバスケット、プレートなどは、形状、容量ともに大きくなるので、その携帯性に欠点があった。
【０００４】
ラインバスット、プレートの用途において、この欠点は  フライフィッシングを快適に行うことに大きな障害となるものである。
特に移動時には大変負担が大きい。
【０００５】
この改善策として、浮力があり折りたためて携帯できるネットを用いることにした。
【考案の概要】
【考案が解決しようとする課題】
【０００６】
解決しようとする問題点は、容量の大きさゆえにフライフィッシングの障害となる移動に伴う携帯性の点である。
【課題を解決するための手段】
【０００７】
本考案は、フライフィッシングにおいて移動時の携帯性を容易にを可能とするため、浮力のあるネットを用いることを主な特徴とする。
【考案の効果】
【０００８】
本考案のフライラインシューテイングネットは、浮力のあるネットを用いることで、折りたたんでコンパクトに収納ができ、移動時の煩わしさを払拭できる利点がある。
【図面の簡単な説明】
【０００９】
【図１】図１はフライラインシューティングネットの実施方法を示した説明図である（実施例１）
【図２】図２はフライラインシューティングネットの形状を上部から示した説明図である（実施例２）
【考案を実施するための形態】
【００１０】
フライラインを水面に浮かせキャストするための目的を最小の浮力のあるネットで、容量を伴わずに実現した。
【実施例】
【００１１】
図１は  通常、ウェーデイングしてフライキャスティングをする時、余分なフライラインを水面に留めておく状態示した。
【産業上の利用可能性】
【００１２】
浮力のある素材を用いて容易にフライラインの水面上の保持が可能となり、また必要ない時、移動時等ではコンパクトに収納できて、釣り人の行動範囲を妨げない。
【符号の説明】
【００１３】
1  フライラインシューティングネット
2  フライライン
３  釣り竿
４  フライラインシューティングネットの形状
【図１】
0003189641.tif 000003
【図２】
0003189641.tif 000004
【手続補正書】
【提出日】平成26年1月29日(2014.1.29)
【手続補正１】
【補正対象書類名】実用新案登録請求の範囲
【補正対象項目名】請求項１
【補正方法】変更
【補正の内容】
【請求項１】
格子状に作られた浮力のあるネットによって構成された略長方形の軟質系の素材からなるマットからなり、フライラインを水面上に保持するフライラインシューテイングネット。
【手続補正２】
【補正対象書類名】実用新案登録請求の範囲
【補正対象項目名】請求項２
【補正方法】変更
【補正の内容】
【請求項２】
一辺が体のラインに沿うように内側へとカーブしていることを特徴とする請求項１記載のフライラインシューテイングネット。
(57)【要約】      （修正有）【課題】何時いかなる時に断水しても、新鮮な飲用水が確保できる非常用貯水タンクを提供する。【解決手段】内側が、防水で柔軟素材の内袋４になっている耐圧容器３に、逆止弁６のついた給水口と、開閉バルブ２のついた排水口のそれぞれに、非常時に容易に着脱できる継手７，１をつけた貯水タンクを、上水道の配管途中に設置させる。【選択図】図１
0003189673.tif 000002
【実用新案登録請求の範囲】
【請求項１】
上水道の水圧に耐える容器に、逆止弁のついた給水口と、開閉バルブのついた排水口があり、それぞれの先には着脱可能な継手がついていて、その容器の中は、防水で柔軟素材の内袋になっていることを特徴とする非常用貯水タンク。
【考案の詳細な説明】
【技術分野】
【０００１】
本考案は、地震等の災害に備える用具に関するものである。
【考案の概要】
【考案が解決しようとする課題】
【０００２】
災害などによる断水のときのために、各家庭でペットボトルやポリタンクなどに、飲用水を確保しているが、こまめな入れ替え、買い替えをしなければならないこと。
【課題を解決するための手段】
【０００３】
内側が防水で柔軟素材の袋になっている耐圧容器に、逆止弁のついた給水口と、開閉バルブのついた排水口のそれぞれに、非常時、容易に着脱できる継手をつけた貯水タンクを、シンク下や床下など上水道の配管途中に設置させた。
【考案の効果】
【０００４】
本考案の貯水タンクの水は、いつでも新鮮であり、断水時には持ち運べ、貯水タンク内の水が減っても内袋が萎むので、水が空気にふれず貯蔵性に優れている。
【図面の簡単な説明】
【０００５】
【図１】平常時。上水道が通水されている非常用貯水タンク。
【図２】使用時。配管から取り外された非常用貯水タンク。
【考案を実施するための形態】
【０００６】
持ち運びや設置場所の面から、容量は１０〜２０リットル位。必要に応じて連結する。
【実施例】
【０００７】
上水道の配管途中に設置して水を通す時は、エア調整ネジ５を開く。内袋４が耐圧容器３と同等にふくらみ、満水になりしだい、エア調整ネジ５を閉める。
【０００８】
断水して使用する時は、開閉バルブ２を閉めて、排水口継手１と給水口継手７を外す。貯水タンクを９０度回して、エア調整ネジを開ける。
【産業上の利用可能性】
【０００９】
構造が単純、コンパクトなので、安価で製造することができて、普及しやすい。
【符号の説明】
【００１０】
1  排水口継手
2  開閉バルブ
3  耐圧容器
4  内袋
5  エア調整ネジ
6  逆止弁
7  給水口継手
【図１】
0003189673.tif 000003
【図２】
0003189673.tif 000004
(57)【要約】      （修正有）【課題】靴ひもの結び目がリボン結びでは、運動または歩行中にほどけてしまう場合があり、そのたび毎に靴ひもを締め直したり、結び直したりする面倒があった。また、靴ひもがほどけたことに気づかずに歩行していると、ほどけた靴ひもを踏みつけて転倒してしまう危険性があった。そこで靴ひもが解けてしまうことを可及的に抑制可能であると共に、解くことも容易な靴ひも留め具を提供する。【解決手段】両端縁が同一方向に折り曲げられた板状体であり、その両端近傍にそれぞれ孔部２を有し、両端縁に溝部５を設けて構成したことを特徴とし、また、板状体を湾曲形状に構成した。【選択図】図１
0003189699.tif 000002
【実用新案登録請求の範囲】
【請求項１】
両端縁が同一方向に折り曲げられた板状体であり、その両端近傍にそれぞれ孔部を有し、両端縁に溝部を有する靴ひも留め具。
【請求項２】
板状体が湾曲形状を呈する請求項1に記載に記載の靴ひも留め具。
【考案の詳細な説明】
【技術分野】
【０００１】
本考案は、靴の表甲に双設された靴ひも挿通孔に靴ひもを挿し通して締めて履くタイプの靴に使用される靴ひも留め具に関し、より詳しくは靴ひもの結び目が解けることを可及的に抑制可能な靴ひも留め具に関する。
【背景技術】
【０００２】
靴ひもの挿通方法は、一本の靴ひもをつま先側の鳩目穴から順次挿し通して履き口すなわち足首に近いところでリボン結び（蝶結び）などをして締めることにより、靴を足にフィットさせていた。
【０００３】
特許文献１にはエッジを有する溝を備えたチューブ体であり、靴ひもをチューブ内を通したうえで、溝に嵌め込むことで靴ひもが緩むことを防止するひも止めが開示されている。
【先行技術文献】
【特許文献】
【０００４】
【特許文献１】特開２００１−１９０３０９号公報
【考案の概要】
【考案が解決しようとする課題】
【０００５】
上記従来の靴ひもの締め方では以下のような不都合があった。すなわち、靴ひもの結び目がリボン結び（蝶結び）では、運動または歩行中にほどけてしまう場合があり、そのたび毎に靴ひもを締め直したり、結び直したりする面倒があった。また、靴ひもがほどけたことに気づかずに歩行していると、ほどけた靴ひもを踏みつけて転倒してしまう危険性があった。他方で結び目を固結びすれば係る不都合は回避できるが、靴ひもを解くことが困難になるという難点がある。
【０００６】
そこで本考案は、靴ひもが解けてしまうことを可及的に抑制可能であると共に、解くことも容易な靴ひも留め具を提供することを目的とする。
【課題を解決するための手段】
【０００７】
上記の目的を達成する本考案の構成は次の通りである。
【０００８】
（１）  請求項１に記載の考案は、両端縁が同一方向に折り曲げられた板状体であり、その両端近傍にそれぞれ孔部を有し、両端縁に溝部を設けて構成した。
【０００９】
（２）  請求項２に記載の考案は、請求項１に記載の靴ひも留め具において、板状体を湾曲形状に構成した。
【考案の効果】
【００１０】
上記のように構成される本考案が、如何に作用して課題を解決するかを図面を参照しながら概説する。
【００１１】
図２及び図３は本考案に係る靴ひも留め具１の使用方法を示す説明図である。
【００１２】
図２に示すように、靴ひも留め具１の一方孔部２に靴ひも３を挿通したうえで、靴ひも３の端部を固結びする。次いで図３に示すように靴ひも３を靴ひも留め具１の端部に巻きつけ、結び目４の根元付近を溝部５に嵌めこむことで固定するものである。尚、図２，図３においては一方孔部２のみに靴ひも３を挿通してあるが、実際は他方孔部２にも靴ひもを通して使用するものである。
【００１３】
図４及び図５は実際に靴に装着する工程を示す説明図である。以下順を追って詳述する。
【００１４】
一本の靴ひも３の両端を靴のつま先側の鳩目穴から順次挿し通して履き口すなわち足首に近いところまで編み上げる。靴ひも３の両端を、それぞれ靴ひも留め具１の孔部２，２に挿通する（図３）。かかる状態で靴ひも留め具１を靴に押し付けながら、靴ひも３引張り、靴を足にフィットさせる。靴ひも３を靴ひも留め具１に巻きつけ、結び目４の根元を溝部５に嵌め込み、靴ひも３が緩まないようにする（図４）。
【００１５】
以上のように使用される本考案は、溝部５の幅を靴ひも３の直径より若干狭くしておけば、溝部５に靴ひも３を嵌め込めば、容易に抜けなくなる。つまりは、本考案に係る靴ひも留め具を使用すれば、靴ひもが解けてしまうことを可及的に抑制可能となるのである。
【００１６】
また、結び目４の根元を溝部５から外し、靴ひも留め具１に巻きつけていた部分を解くという簡易な手段で靴ひもを緩めることが可能となるものである。
【００１７】
なお、請求項２記載の考案においては湾曲形状に構成することで、靴ひも留め具１をより靴にフィット可能に構成してある。
【図面の簡単な説明】
【００１８】
【図１】ａ  本考案の正面図    ｂ  同、平面図    ｃ  同、右側面図
【図２】本考案の使用方法を示す説明図
【図３】本考案の使用方法を示す説明図
【図４】本考案を靴に装着する工程を示す説明図
【図５】本考案を靴に装着する工程を示す説明図
【考案を実施するための形態】
【００１９】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２０】
本考案に係る靴ひも留め具１は、図１に示されるように両端縁が同一方向に折り曲げられた板状体であり、その両端近傍にそれぞれ孔部２，２を有し、両端縁に溝部５，５を設けて構成してある。材質は金属が好ましいが、樹脂製や木製でも構わない。
【００２１】
また、図１は請求項２に記載の考案を示しており、すなわち湾曲形状に構成してあるが、平板状に設けても構わない。
【符号の説明】
【００２２】
１・・靴ひも留め具
２・・孔部
３・・靴ひも
４・・結び目
５・・溝部
【図１】
0003189699.tif 000003
【図２】
0003189699.tif 000004
【図３】
0003189699.tif 000005
【図４】
0003189699.tif 000006
【図５】
0003189699.tif 000007
(57)【要約】      （修正有）【課題】手になじみ、使い勝手の良いキッチン用ミトンを提供する。【解決手段】４本指を入れる部分に指の方向に沿って、ミシン目２を入れたことを特徴とし、またミシン目に沿って、２個のボタン３を取り付けた構成とする。【選択図】図２
0003189636.tif 000002
【実用新案登録請求の範囲】
【請求項１】
従来使用していたキッチン用ミトン（なべつかみ）は、四本指がミトンの中ですべって、なべの取手の部分がつかみにくく不便さを感じておりましたので１本ミシン目を入れる事により、布がうまく指にからまって屈折しやすくなり従来の物よりも速やかに取手をつかみやすくなりました
【請求項２】
ミシン目だけでは見た目がよくないので、かわいいボタンを２個つける事により感じが良くなりました
【考案の詳細な説明】
【考案の概要】
ミトンの四本指を入れる所に１本ミシン目を入れるかわいらしくする為にボタンを２個つけるのもよい
【考案が解決しようとする課題】
【０００１】従来のミトン（なべつかみ）は四本の指が手袋の中ですべって屈折がしにくく速やかに取手をつかみにくい問題点があった
【課題を解決するための手段】
【０００２】指４本を入れてもすべらないように、たてに１本ミシン目を入れ指が中でわかれる様にした
【考案の効果】
【０００３】ミトンをはめた場合１本ミシン目をたてに入れた為に４本の指が中で分かれる為屈折がうまく出来てなべの取手がとてもつかみやすくなった
【図面の簡単な説明】
【図１】ミトンにミシン目とボタンをつけた平面図である
【図２】考案したミトンの使用状況を示す平面図である
【符号の説明】１  ミトン本体
２  ミシンぬい目
３  ボタン
４  指
【図１】
0003189636.tif 000003
【図２】
0003189636.tif 000004
【手続補正書】
【提出日】平成26年1月7日(2014.1.7)
【手続補正１】
【補正対象書類名】実用新案登録請求の範囲
【補正対象項目名】全文
【補正方法】変更
【補正の内容】
【実用新案登録請求の範囲】
【請求項１】
ミトンにおける４本指を入れる所に指の方向に沿ってミシン目を入れてなる、
ことを特徴とするキッチン用ミトン。
【請求項２】
前記ミシン目に沿って２個のボタンを取り付けてなる、
ことを特徴とする請求稿１に記載のキッチン用ミトン。
【手続補正２】
【補正対象書類名】明細書
【補正対象項目名】全文
【補正方法】変更
【補正の内容】
【考案の詳細な説明】
【技術分野】
【０００１】  本考案は、キッチン用ミトン（鍋掴み）に関する。
【背景技術】
【０００２】  従来のキッチン用ミトンは、４本指を入れる所が一体であるため、各指間で力が入れずらく、鍋などの取手を掴んだ時に不安定であり、且つ危険であった。
【考案の概要】
【考案が解決しようとする課題】
【０００３】  本考案は、背景技術で述べた問題点を解決し、４本指を入れる所でも各指に力が正確に伝わり、鍋などの取手を確実に掴むことができるキッチン用ミトンを提供する、ことを課題とする。
【課題を解決するための手段】
【０００４】  本考案のキッチン用ミトン（請求項１）は、ミトンにおける４本指を入れる所に指の方向に沿ってミシン目を入れてなる、ことを特徴とする。
また、本考案には、前記ミシン目に沿って２個のボタンを取り付けてなる、キッチン用ミトン（請求項２）も含まれる。
【考案の効果】
【０００５】  請求項１の前記キッチン用ミトンによれば、該ミトンに手をはめた際、前記ミシン目により、例えば、人差し指と中指とが４本指を入れる所の内側で分かれるため、鍋などの取手を確実且つ安全にして掴むことが可能となる。
また、請求項２の前記キッチン用ミトンによれば、本ミトンを外観上においても、かわいらしくすることができる。
【図面の簡単な説明】
【０００６】
【図１】本考案のミトンを示す平面図。
【図２】上記ミトンの使用状況を示す平面図。
【考案を実施するための形態】
【０００７】  本考案のキッチン用ミトンは、図１に示すように、親指用と残りの４本指用とに分かれたミトン本体１において、４本指用の所に指の方向（縦の方向）に沿ってミシン縫い目（ミシン目）２を入れたものである。
また、図１に示すように、前記ミシン縫い目２に沿って２個のボタン３を併せて縫い付けることで、本ミトンにかわいらしさを付与するこができる。
前記ミシン目２により、図２に示すように、ミトン本体１の４本指用の所において、例えば、人差し指と残りの指３を確実に分離できるため、これらの指先ごとに異なる方向の力を正確に伝えられる。その結果、従来のミトンに比べて、鍋などの取手を確実且つ容易に掴み易くなると共に、安全性の向上も可能となった。
【符号の説明】
【０００８】１……ミトン本体，                ２……ミシン縫い目（ミシン目），
３……ボタン，                    ４……指
(57)【要約】      （修正有）【課題】日常の不注意による事故、または、災害時に起こる事故において、頭部を保護し、それとともに帽子の使用者の所在発見を容易にした耐衝撃頭部保護帽子を提供する。【解決手段】耐衝撃頭部保護帽子は、高反発衝撃吸収体スポンジ素材に穿鑿孔穴、樹脂板の貼り合わせによるハニカム状態様シエル構造により頭部を保護する。具備しているＬＥＤライト発光構造体４のライト部を上方向からのプッシュにより点灯発光しての、当該帽子の使用者の所在位置の発見を容易にする。【選択図】図１
0003189639.tif 000002
【実用新案登録請求の範囲】
【請求項１】
高反発衝撃吸収体スポンジ素材に三角形、四角形、菱形、五角形、六角形、楕円形、円形、頭部に合致する形状で穿鑿孔穴し、上面に樹脂板を貼り合わせハニカム状態様シエル構造とした構造体を形成して構成した頭部保護効果を発揮する耐衝撃頭部保護帽子。
【請求項２】
当該帽子は、ライト部を上方向からプッシュすることにより、スイッチオンして点灯発光するＬＥＤライト発光構造体、または、他の仕様による発光ライト構造体を具備している請求項１に記載の耐衝撃頭部保護帽子。
【請求項３】
ＬＥＤライト発光構造体を上方向からのプッシュにより点灯発光、消灯のスイッチ作動を可能とするために軟質合成樹脂材のライトカバーとして内部に設置しているプッシュスイッチをプッシュして作動させるＬＥＤライト発光構造体。
【考案の詳細な説明】
【技術分野】
【０００１】
この考案は、頭部保護帽子の構造の技術に関するものである。
【背景技術】
【０００２】
頭部を保護する帽子、被りものには、ヘルメット、中クッション構造の帽子、中綿構造の帽子、頭巾等がある。
【先行技術文献】
【特許文献】
【０００３】
特許公開２００７−０９２１９８  携帯用頭部保護帽子
特許公開２００４−０５２２０５  頭部保護帽
実用新案登録第３０７５８２１号  嬰児幼児頭部保護帽子
【考案の概要】
【考案が解決しようとする課題】
【０００４】
日常の不注意による事故、または、災害時に起こる事故において、頭部を保護するとともに当該帽子使用者の所在発見を容易にする。
【課題を解決するための手段】
【０００５】
耐衝撃頭部保護帽子は、高反発衝撃吸収体スポンジ素材構造体で構成する。当該帽子の使用者の所在を知らせるＬＥＤライト発光構造体を具備する。
【考案の効果】
【０００６】
耐衝撃頭部保護帽子の構成に使用している高反発衝撃吸収体スポンジ素材構造体は、事故時に頭部に受ける衝撃を吸収、緩衝して頭部保護効果を発揮する。帽頂に具備しているＬＥＤライト発光構造体の点灯発光により、当該帽子使用者の所在位置を探索者に知らせる。帽子の後部にはレインガード及び後頭部サンバイザー兼用クロスを具備しており、後ろエリ部からの雨滴の滴りこみを防ぎ、後ろ首筋にあたる強い陽ざしをさえぎる。
【図面の簡単な説明】
【０００７】
【図１】耐衝撃頭部保護帽子の斜視図
【図２】当該帽子前部の断面図
【図３】高反発衝撃吸収体スポンジ素材構造体の図
【図４】レインガード及び後部サンバイザー兼用クロスの図
【図５】ＬＥＤライト発光構造体構造図
【考案を実施するための形態】
【０００８】
図２、図３参照。耐衝撃頭部保護帽子は、高反発衝撃吸収体スポンジ素材で構造体を形成して構成する。頭部に受ける事故等の衝撃を吸収、緩衝するには、１、スポンジ素材の材質。２、スポンジ素材板の厚み。３、スポンジ素材の硬度。４、穿鑿孔穴の形状。５、穿鑿孔穴の大きさ。６、穿鑿孔穴の密度等の条件を調整、形成する。その構造体の上面に樹脂板を貼り合わせ、耐衝撃性を強化して構造体を仕上げ、耐衝撃頭部保護帽子を構成する。高反発衝撃吸収体スポンジ素材に穿鑿孔穴、樹脂板の貼り合わせによるハニカム状態様のシエル構造により耐衝撃性を強化し、当該帽子は頭部保護効果を発揮する。穿鑿孔穴の形状は、三角形、四角形、菱形、五角形、六角形、楕円形、円形等、頭部に合致する形状で穿鑿孔穴して、最適条件で高反発衝撃吸収体スポンジ素材構造体を形成する。
【０００９】
図２参照。当該帽子は、ライト部を上方向からプッシュすることにより、スイッチオンして点灯発光するＬＥＤライト発光構造体、または、他の仕様による発光ライト構造体を具備しており、発光ライト構造体の点灯発光により、当該帽子使用者の所在位置の探索、発見、視認が容易となる。
【００１０】
耐衝撃頭部保護帽子に使用しているＬＥＤライト発光構造体は、ライトの上方向からプッシュすることにより、内部に設置しているプッシュスイッチの作動により点灯発光する。消灯したいときにはプッシュすれば消灯する。
【実施例】
【００１１】
図４参照。当該帽子の後部には、レインガード及び後頭部サンバイザー兼用クロスを具備しており、後ろエリ部からの雨滴の滴りこみを防ぎ、後ろ首筋にあたる強い陽ざしをさえぎる。
【００１２】
当該帽子にＧＰＳ測位システム利用機器の具備により事故及び危難遭遇の際に情報発信、位置情報の送信により、セキュリテイの万全を期すことができる。
【００１３】
当該帽子を構成する高反発衝撃吸収体スポンジ素材は、ＥＶＡ高反発衝撃吸収体スポンジ素材、新ゴムチップ素材を使用する。素材硬度は、アスカーＣタイプ５０°〜８０°が望ましい。
【００１４】
当該帽子は、携帯の便利をはかり、折りたたみができ、バッグに容易に収納できる。
【符号の説明】
【００１５】
１  帽子本体
２  樹脂板
３  高反発衝撃吸収体スポンジ素材構造体
４  ＬＥＤライト発光構造体
５  レインガード及びサンバイザー兼用クロス
６  ＬＥＤライト発光構造体予備電池
７  帽子生地
８  軟質合成樹脂ライトカバー
９  プッシュスイッチ
１０  ＬＥＤライト
１１  発光体基盤
１２  電池
【図１】
0003189639.tif 000003
【図２】
0003189639.tif 000004
【図３】
0003189639.tif 000005
【図４】
0003189639.tif 000006
【図５】
0003189639.tif 000007
【手続補正書】
【提出日】平成25年12月13日(2013.12.13)
【手続補正１】
【補正対象書類名】実用新案登録請求の範囲
【補正対象項目名】請求項３
【補正方法】変更
【補正の内容】
【請求項３】
ＬＥＤライト発光構造体を上方向からのプッシュにより点灯発光、消灯のスイッチ作動を可能とするために軟質合成樹脂材のライトカバーとして内部に設置しているプッシュスイッチをプッシュして作動させるＬＥＤライト発光構造体を具備する請求項２に記載の耐衝撃頭部保護帽子。
(57)【要約】      （修正有）【課題】ダンパーピストンの穴を通るオイルの流量をシャフトの縮む方向と伸びる方向とで変化させることが可能なラジコン車用ダンパーピストン構造を提供する。【解決手段】ダンパーピストン１に開けられた穴２のピストンの表裏で穴の直径を変化させる。こうすることで、シャフトの伸縮時の減衰力調整が可能となり、Ｓ字カーブ等での車体の揺り戻し等を軽減することが可能となる。【選択図】図２
0003189632.tif 000002
【実用新案登録請求の範囲】
【請求項１】
ラジコン車用のダンパーピストンにおいて、ダンパーピストンに貫通するように開けられた穴の直径を片側の穴の直径より大きく形成することを特長とするラジコン車用ダンパーピストン構造。
【考案の詳細な説明】
【技術分野】
【０００１】  本考案はラジコン車用ダンパーに使用するピストン構造に関する。
【背景技術】
【０００２】従来のラジコン車用ダンパーピストン構造を図１に示す。図１の１に示す個所にピストンが使用されている。ピストンは樹脂で形成されて平面部に２〜３か所の穴が開けられている。ピストンはダンパーシャフトに固定されており、ダンパーシャフトが上下運動をする際にピストンに開けられた穴を通してダンパー内のオイルが通ることによって、ダンパーの減衰力を調整している。ダンパーの減衰力は図１の２に示された穴の直径、及び穴の戸数によって調整することが可能となっている。
【考案の概要】
【考案が解決しようとする課題】
【０００３】しかしながら上記背景技術によって記載した減衰力の調整ではシャフトの上下運動に伴うオイルの通り道のオリフィスが同じため、シャフトが縮む方向（ショックの吸収）とシャフトが伸びる方向（元の位置に戻る）の減衰力が同一であり、調整できない課題があった。これはダンパーピストンに開けられた穴がオイルの通る方向で同一であり、且つダンパーシリンダー内とピストンの外周の隙間が大きいことに起因しているためである。本考案はダンパーピストンの穴を通るオイルの流量をシャフトの縮む方向と伸びる方向とで変化させることが可能なダンパーピストン構造を提供することにある。
【課題を解決するための手段】
【０００４】本考案は図２の３に示すように、ダンパーピストンの穴の構造をシャフトの縮む方向と伸びる方向でオイルの流量が変化するようにオイルの通る穴の直径を変化させる構造である。図２ではシャフトの縮む方向でオイルの流量が増加するように穴の直径を大きくしているが、逆にシャフトの伸びる方向でオイルの流量が増加するように穴の直径を大きくしても問題は無い。
【考案の効果】
【０００５】本考案の適用されたオイルの流量をシャフトの縮む方向と伸びる方向で変化させるピストン構造によって、従来シャフトの伸縮時にダンパーの減衰力を調整することができない、と言う課題を解決することができた。
【図面の簡単な説明】
【０００６】
【図１】従来のラジコン車用ダンパーピストン構造である。
【図２】この考案のダンパーピストン構造である。
【図３】従来のダンパーピストン構造と本考案のダンパーピストン構造の比較図である。
【考案を実施するための形態】
【０００７】本考案の一実施形態を図３に示す。図３には従来のダンパーピストン構造と本考案のダンパーピストン構造を示している。本考案のダンパーピストンはシャフトの縮む側のオイルの通る穴の直径をシャフトが伸びる方向の穴の直径より大きくしている。
【０００８】「実施形態の効果」
本考案によって、ドリフト車、あるいはグリップ車がＳ字カーブ等で揺り戻しが発生していたのを抑えることが可能となった。
【符号の説明】
【０００９】１    ダンパーピストン
２    オイルの通る穴
【図１】
0003189632.tif 000003
【図２】
0003189632.tif 000004
【図３】
0003189632.tif 000005
【手続補正書】
【提出日】平成25年11月13日(2013.11.13)
【手続補正１】
【補正対象書類名】実用新案登録請求の範囲
【補正対象項目名】全文
【補正方法】変更
【補正の内容】
【実用新案登録請求の範囲】
【請求項１】
ラジコン車用のダンパーピストンにおいて、ダンパーピストンに貫通するように開けられた穴のピストンの表裏で表側の穴の直径を裏側の穴の直径より大きく形成することを特長とするラジコン車用ダンパーピストン構造。